(57)【特許請求の範囲】
【請求項１】
セルに関連付られた無線ネットワークノードのエネルギー消費を制御するための方法であって、
前記セルによってサービスされているアクティブ状態の端末の数を監視するステップと、
前記セルによってサービスされているアクティブ状態の端末が存在しない時間枠の間は、前記セル内のダウンリンク送信を、前記セルによってサービスされていないアクティブ状態の端末が前記セルを見つけるのを支援する情報の間欠送信に限定するステップと、
複数の前記無線ネットワークノード間で情報の前記間欠送信を同期させるステップと、
前記無線ネットワークノードによる情報の前記間欠送信を前記セルによってサービスされていない端末の受信と同期させるステップと
を含むことを特徴とする方法。
【請求項２】
前記セルによってサービスされているアクティブ状態の端末の数が所定の閾値を下回る場合を検出するステップと、
前記セルによって依然としてサービスされているアクティブ状態の端末を、少なくとも１つの他のセルにハンドオーバさせるステップと、
前記セルによってサービスされているアクティブ状態の端末がもはや存在しない場合に、ダウンリンク送信を制限するステップと
を含むことを特徴とする請求項１に記載の方法。
【請求項３】
前記セルによってサービスされているアクティブ状態の端末の数が所定の閾値を下回る場合に、ダウンリンクの送信を制限するステップを含むことを特徴とする請求項１に記載の方法。
【請求項４】
間欠送信の間、前記セルによってサービスされていない端末からのランダムアクセス試行を監視するステップと、
少なくとも１つのランダムアクセス試行が検出された場合、間欠送信を中止して、制限されていない連続送信に復帰するステップと
を含むことを特徴とする請求項１乃至３のいずれか１項に記載の方法。
【請求項５】
間欠送信の間、ハンドオーバコマンドを監視するステップと、
少なくとも１つのハンドオーバコマンドが検出された場合、間欠送信を中止して、制限されていない連続送信に復帰するステップと
を含むことを特徴とする請求項１乃至３のいずれか１項に記載の方法。
【請求項６】
前記セルのカバレッジエリアが、別のセルのカバレッジエリア内にあることを特徴とする請求項１乃至５のいずれか１項に記載の方法。
【請求項７】
前記セルが、マクロセルの中のマイクロセルであることを特徴とする請求項６に記載の方法。
【請求項８】
前記無線ネットワークノードが、基地局またはホーム基地局であることを特徴とする、請求項６に記載の方法。
【請求項９】
情報の前記間欠送信が、
基準信号の送信と、
同期信号の送信と、
ブロードキャスト情報の送信と
のうち少なくとも１つを含むことを特徴とする請求項１乃至８のいずれか１項に記載の方法。
【請求項１０】
セルに関連付られた無線ネットワークノードのエネルギー消費を制御するための装置であって、
前記セルによってサービスされているアクティブ状態の端末を検出するように構成された端末アクティビティモニタと、
前記端末アクティビティモニタに接続され、かつ、前記セルによってサービスされているアクティブ状態の端末が存在しない時間枠の間は、前記セル内のダウンリンク送信を、前記セルによってサービスされていないアクティブ状態の端末が前記セルを見つけるのを支援する情報の間欠送信に限定し、複数の前記無線ネットワークノード間で情報の前記間欠送信を同期させ、前記無線ネットワークノードによる情報の前記間欠送信を前記セルによってサービスされていない端末の受信と同期させるように構成された送信制御器と
を含むことを特徴とする装置。
【請求項１１】
前記端末アクティビティモニタが、
前記セルによってサービスされているアクティブ状態の端末の数が所定の閾値を下回る場合を検出し、
前記セルによって依然としてサービスされているアクティブ状態の端末を少なくとも１つの他のセルにハンドオーバするよう指令し、
前記セルによってサービスされているアクティブ状態の端末がもはや存在しない場合、ダウンリンク送信を制限する
ように構成されていることを特徴とする、請求項１０に記載の装置。
【請求項１２】
前記端末アクティビティモニタが、前記セルによってサービスされているアクティブ状態の端末の数が所定の閾値を下回る場合、ダウンリンクの送信を制限するように構成されていることを特徴とする、請求項１０に記載の装置。
【請求項１３】
間欠送信の間、前記セルによってサービスされていない端末からのランダムアクセス試行を検出し、少なくとも１つのランダムアクセス試行が検出された場合、間欠送信を中止して、制限されていない通常送信に復帰するように送信制御器に命令する
ように構成されたランダムアクセス試行モニタを含むことを特徴とする請求項１０乃至１２のいずれか１項に記載の装置。
【請求項１４】
間欠送信の間、ハンドオーバコマンドを検出し、少なくとも１つのハンドオーバコマンドが検出された場合、間欠送信を中止して、制限されていない通常送信に復帰するように前記送信制御器に命令するように構成されたハンドオーバ要求モニタを含むことを特徴とする請求項１０乃至１２のいずれか１項に記載の装置。
【請求項１５】
請求項１０乃至１４のいずれか１項に記載の装置を含む基地局。
【発明の詳細な説明】
【技術分野】
【０００１】
本発明は一般に無線ネットワークノード、例えば基地局のエネルギー消費を制御することに関する。
【背景技術】
【０００２】
エネルギー消費は、セルラーシステムにおける移動端末にとって長い間重要な問題であった。また、環境保全技術の最近の傾向によって、基地局（ＢＳまたはノードＢ）のエネルギー消費を減らすことも重要となっているが、それは基地局の電力消費はオペレータのコストのうちで無視できない部分であり、かつ、過大な電力消費は環境に悪影響を与えるからである。さらに、基地局の動作の一部として消費されるエネルギーによって熱が発生するため、典型的には、装置の温度を制御するために積極的な冷却（例えば空調）が必要である。積極的な冷却は、さらに基地局設置個所の総エネルギー消費を増加させるであろう。他の無線ネットワークノード、例えばリレーや中継器にも同様のコメントが当てはまる。
【発明の概要】
【０００３】
本発明の目的は、無線ネットワークノードによって使用されるエネルギー量を減らすことである。
【０００４】
この目的は、添付の請求項によって達成される。
【０００５】
簡単に言えば、本発明の基本的な考え方は、セルによってサービス提供されるアクティブ状態の端末の数を監視することである。セルによってサービス提供されるアクティブ状態の端末が存在しない時間枠の間は、ダウンリンクの送信は、セルによってサービス提供されていないアクティブ状態の端末がセルを見つけるのを支援するための情報の間欠送信に限定される。
【０００６】
無線ネットワークノードのエネルギー消費を減らすことに加えて、本発明は、ノードによって生成される干渉を減らすという利点をさらに有する。
【０００７】
本発明は、マクロセルがマイクロセルを重畳するセルシナリオにおいて特に有益であり、それゆえ、（マイクロセルエリアにアクティブ状態のセルがまったくかまたは少ししか存在しない）低負荷の場合、（マイクロセルエリア内の）アイドル状態の端末が、マクロセルに留まることができ、それゆえ、それらの同期シンボルをネットワークと同期した状態で使用することができる。
【０００８】
本発明の別の態様によって、無線端末が、情報の間欠送信のタイムスケジュールを示す信号をセルから受信して、情報の間欠送信と移動性測定を同期させる。
【０００９】
本発明の別の態様によって、無線端末は、複数の周波数にわたって第１のセル探索を行って、次いで、第１のセル探索が失敗した場合、各周波数について探索時間が延長された第２のセル探索を行う。
【００１０】
本発明は、本発明の別の目的および利点も含めて、添付の図面と一緒に以下の記述を参照することによって、最も良く理解されうる。
【図面の簡単な説明】
【００１１】
【図１】本発明が用いられうるシナリオの図である。
【図２】本発明が用いられうる別のシナリオの図である。
【図３】本発明による不連続動作の一実施形態を例示するタイムチャートである。
【図４】本発明によるエネルギー消費を制御する方法の一実施形態を例示するフローチャートである。
【図５】本発明によるエネルギー消費を制御する方法の一実施形態のさらなる詳細を例示するフローチャートである。
【図６】本発明による無線ネットワークノードのエネルギー消費を制御する装置の一実施形態を例示するブロック図である。
【図７】基地局における間欠送信と端末における呼び出しとの同期を例示するタイムチャートである。
【図８】本発明の一態様による無線端末を操作する方法の一実施形態を例示するフローチャートである。
【図９】本発明の一態様による無線端末の一実施形態を例示するブロック図である。
【図１０】本発明の別の態様による無線端末を操作する方法の一実施形態を例示するフローチャートである。
【図１１】本発明の別の態様による無線端末の一実施形態を例示するブロック図である。
【発明を実施するための形態】
【００１２】
本発明について、ＬＴＥ（Ｌｏｎｇ−Ｔｅｒｍ  Ｅｖｏｌｕｔｉｏｎ）システムに関して詳細に記述しよう。しかし、同じ原理が、他のシステム、例えばＷＣＤＭＡやＧＳＭシステムにも用いられてよい。
【００１３】
また、本発明は主に基地局に関して、特にＬＴＥ基地局に関して記述されるであろう。しかし、同じ原理が、他の無線ネットワークノード、例えばリレーや中継器やホーム基地局にも適用されてよい。
【００１４】
本願では、基地局が１つ以上の無線セルにサービス提供することを想定する。従って、「基地局」とは、より最近のエンティティ、例えば、ノードＢおよびｅノードＢ（ｅｖｏｌｖｅｄ  ＮｏｄｅＢ）であって、２つ以上のセルを扱うことができるもののことも言う。
【００１５】
同様に、「端末」は、さまざまなタイプの無線端末、例えば移動局、ＵＥ（ユーザ装置）、ラップトップ等を指すのに用いられるであろう。
【００１６】
図１は、本発明が用いられうる第１のシナリオの図である。このシナリオでは、隣接する無線セルＲＣ１およびＲＣ２が、それぞれの基地局ＢＳ１およびＢＳ２によって管理される。
【００１７】
図２は、本発明が用いられうる別のシナリオの図である。このシナリオでは、基地局ＢＳ１によって管理されるマイクロセルが、基地局ＢＳ２によって管理されるマクロセルのカバレージエリア内にある。
【００１８】
現行のセルラーシステム、例えばＨＳＰＡ（Ｈｉｇｈ−Ｓｐｅｅｄ  Ｐａｃｋｅｔ  Ａｃｃｅｓｓ）およびＬＴＥでは、基地局は、ある種の形式の信号をセル内で連続的に送信する。そのような信号の例として、基準信号（パイロット）、同期信号、およびブロードキャストチャネルがある。これらの信号は多様な目的で使われる。
【００１９】
・データ受信：アクティブ状態の端末は、送信されたデータを受信するため、典型的には基準信号に基づいて、チャネル推定を行う必要がある。また、基準信号は、例えばチャネル依存のスケジューリングのような基地局の機能をサポートするため、ダウンリンクのチャネル品質の推定と報告とに用いられることもある。
【００２０】
・移動性セル探索：端末は、隣接セルを定期的にスキャンする。見込まれる隣接セルを見つけて同期するために、隣接セルの中で送信された同期信号が用いられる。また、アクティブ状態の端末は、典型的には、隣接セルによって送信された基準信号の受信信号強度（ＲＳＲＰ（Ｒｅｆｅｒｅｎｃｅ  Ｓｉｇｎａｌ  Ｒｅｃｅｉｖｅｄ  Ｐｏｗｅｒ）測定値）をネットワークに報告し、ネットワークは、端末が候補セルにハンドオーバされるべきかどうかの決定を行う。
【００２１】
・当初セル探索：電源投入時、端末は、同期信号を求めてスキャンすることによって、接続先として見込まれるセルを見つけようとする。セルを発見し、同期が得られたら、端末は、セル内で送信されたブロードキャストチャネルを読み取って必要なシステム情報を入手し、ネットワークに接続するためにランダムアクセスを行う。
【００２２】
・端末同期：アイドル状態の端末は、ネットワークとの同期を維持できるように、同期信号および／または基準信号（パイロット）を必要とし、すなわち、ＤＲＸ（Ｄｉｓｃｏｎｔｉｎｕｏｕｓ  Ｒｅｃｅｐｔｉｏｎ）周期をページングすることによって起動すると、これらの信号は、タイミングおよび周波数エラー等を微調整するのに用いられる。
【００２３】
セル内にアクティブ状態のユーザ（端末）が存在する場合、上記の信号を送信するコストは正当化される。しかし、図１および２のセルＲＣ１の場合のように、セル内にアクティブ状態のユーザが存在しない場合、原則としてこれらの信号は必要ない。このことは、ノードＢが密集して展開されているシナリオにおいて、すなわち、図２の場合のように「余分な」（マイクロ）セルがマクロセルの下に設置されている場合に、特にそうである。そのようなシナリオでは、マイクロセルは、主として高負荷のシナリオに対処するのに用いられ、低負荷シナリオにおいてマイクロセルからこれらの信号を送信することに費やされるエネルギーは、本質的には無駄に費やされている。
【００２４】
セル内にアクティブ状態の端末がない場合、原則として、何も送信する必要はない。これによって、基地局は、電力増幅器だけでなくベースバンド処理も止めることができる。セルは本質的に、ダウンリンクでは「アイドル状態」となるだろう。ネットワークは、アクティブ状態の端末がどのセルに接続されているのかを知っているのだから、アイドル状態のセルを識別することができる。図１および２におけるＴ４のような端末が、アイドル状態のセルによってカバーされるエリアに進入した後、基地局が起動して、信号の送信を再開してもよい。しかし、セルが送信動作を再開すべきかどうかを判定するためには、端末がアイドル状態のセルに進入しつつあるかどうか検出することが必要である。そのような端末は、一定のダウンリンク信号（同期信号、基準信号、ブロードキャストチャネル）が存在することを期待する。そうでないと、端末はセルを見つけることができないであろう。同様に、図１および２の端末Ｔ１、Ｔ２のような非アクティブ状態の端末が、アクティブ状態になる場合、それらにも、セルを見つける際の支援が必要である。
【００２５】
従って、アイドル状態であるにもかかわらず、移動性探索およびセル探索に必要な信号は、間欠的に送信されるべきである。これは、基地局のためのＤＴＸ（Ｄｉｓｃｏｎｔｉｎｕｏｕｓ  Ｔｒａｎｓｍｉｓｓｉｏｎ）周期を定義することによって達成されうる。典型的には、ＤＴＸ周期は、図３に例示するように基地局がＴｐ秒のうちＴａ秒毎にアクティブ状態になるように定義される。その結果、送信器側におけるエネルギー削減は、ほぼＴａ／Ｔｐに比例する。
【００２６】
Ｔａの値は、端末が、十分高い確率で同期を見つけることができ、かつ、セル上で信号測定を行うことができるように、十分大きく選択されるべきである。これに要する時間は、端末における信号対雑音比に依存するが、Ｔａが数百ミリ秒のオーダであれば、アイドル状態のセルを見つけられない確率は、十分低いと考えられる。
【００２７】
Ｔｐの値は、エネルギー消費を効率的に削減することが出来るように十分大きくするべきである。同時に、Ｔｐが大きすぎるということは、端末がアイドル状態のセルを見つけられないことがあることを意味する。Ｔｐの典型的な値は、数秒または数十秒のオーダでありうるだろう。
【００２８】
できれば、基地局のＤＴＸパタンは、端末で構成されるＤＲＸパタンと合致するように選択されることが望ましい。端末が、隣接セル測定を行うために或る種のパタンに従って起動する場合、基地局内のＤＴＸパタンがこのパタンに合致すると有利である。
【００２９】
多くのセルラー標準では、同期信号は、連続的に送信されるわけではない。例えば、ＬＴＥでは、同期信号は、各無線フレームにおいてサブフレーム０および５（の一部）において送信される（これはＦＤＤの場合であるが、ＴＤＤについては、使用されるサブフレームは異なるが、原理は同じである）。典型的には、同様の規則が、ブロードキャストされるシステム情報にも適用される（ＬＴＥでは、システム情報の最重要部分は、サブフレーム０および５で送信される）。従って、ＤＴＸパタンの活動期間でも、図３の最上部の拡大されたタイムセグメントＴａによって示すように、依然として基地局は、無線フレームの残余のサブフレームにおいてはスリープすることができる。
【００３０】
アイドル状態のセルは、端末、例えば図１または２のＴ１が、ランダムアクセスを試行していることを検知すると、ＤＴＸ期間を終了させるであろう。加えて、ネットワークによってハンドオーバが制御されるのだから、端末にコマンドを送信することによって、ネットワークも、アイドル状態の基地局をハンドオーバ手順に関連して起動させることができる。例えば、（基地局ＢＳ１によって管理されている）セルＲＣ２からセルＲＣ１へのハンドオーバを行うため、端末、例えば図１または２のＴ４、に指令している（セルＲＣ２を管理している）基地局ＢＳ２が、端末へのハンドオーバコマンドに加えて、基地局インタフェース、例えばＬＴＥにおけるＸ２インタフェースで、基地局ＢＳ１に起動コマンドも送信するであろう。
【００３１】
図４は、本発明によるエネルギー消費を制御する方法の一実施形態を例示するフローチャートである。連続送信（ＣＴＸ）モードでは、ステップＳ１が、セルによってサービス提供されているアクティブ状態の端末の数を監視する。ステップＳ２は、セルによってサービス提供されているアクティブ状態の端末が所定の閾値ＴＨより少ないかどうかテストする。そうであれば、ステップＳ３が、前記セルによって依然としてサービス提供されているアクティブ状態の端末を、少なくとも１つの他のセル（アクティブ状態の端末の位置によっては、２つ以上のセルが必要なこともある）に引き渡す（ハンドオーバ）。アクティブ状態の端末が、他のセルにハンドオーバされた場合、ステップＳ４が、セルを管理している基地局に、不連続送信モード（ＤＴＸ）に入るように命令し、ここでセル内のダウンリンクの送信は、セルによってサービスされていないアクティブ状態の端末がセルを見つけるのを支援するための情報の間欠送信に限定される。
【００３２】
閾値ＴＨは、例えば、セルが扱うことができる最大負荷の０％と５％との間を表す値に設定する。閾値ＴＨが０に設定される場合、セルによってサービスされているアクティブ状態の端末は残っていないのだから、ステップＳ３は省略されてもよい。
【００３３】
別の実施形態では、セルによってサービスされているアクティブ状態の端末が依然として存在する場合であっても、ステップＳ３は省略される。本実施形態では、セルがすでにＤＴＸモードに入った後は、残りのアクティブ状態の端末は、他のセルへのハンドオーバを強制的に開始させられる。一部の端末が別のセルにハンドオーバされないかもしれないというリスクが、例えばこれらのセルにおける負荷が高いことに起因して、存在するため、閾値ＴＨは、本実施形態では接続が外れるというリスクを最小化するため、典型的には低めに設定される。ハンドオーバコマンドが送信されるとすぐに基地局がＤＴＸモードに入る場合、これらの実施形態の組み合わせも可能である。
【００３４】
図５は、本発明によるエネルギー消費を制御する方法の一実施形態の詳細を例示するフローチャートである。ステップＳ１０で、基地局がＤＴＸモードに入る。これは図４のステップＳ４に対応する。ステップＳ１１は、（このセルのための）基地局を次のＤＴＸ送信時間枠の開始時に起動させる。ステップＳ１２で、基地局は、図３の上方の拡大部分の第１の棒に対応する、端末がセルを見つけるのを支援する情報を送信する。ステップＳ１３は、端末から何らかのランダムアクセス試行があるかどうか検出する。そうであれば、ステップＳ１４が、基地局にＤＴＸモードを中止して、通常の連続モードに入るように命令する。そうでない場合、ステップＳ１５は、隣接基地局から何らかのハンドオーバコマンドが受信されたかどうか検出する。そうであれば、ステップＳ１４が、基地局にＤＴＸモードを中止して、通常のＣＴＸモードに入るように命令する。そうでない場合、基地局はＤＴＸモードに留まり、ステップＳ１６が、基地局が起動して以降、時間枠Ｔａが経過したかどうかテストする。そうでない場合、手順はＳ１２に戻って、図３の上部の次の棒に対応する、次の送信周期を開始する。そうでない場合、ステップＳ１７の時間枠Ｔｐ乃至Ｔａの間、基地局は（ダウンリンクで）アイドル状態になり、次いで、手順は、基地局を再度起動させるため、ステップＳ１１に戻る。
【００３５】
上記のフローチャートの修正は、アクティブ状態の時間枠Ｔａの間だけでなくいつでもセルがＤＴＸモードを終了させられるようにすることを含む。これは、隣接セルからのハンドオーバコマンドまたはランダムアクセス試行のためのテストをステップＳ１７にも含めることによって達成することができる。
【００３６】
基地局がＤＴＸモードに入る場合、基地局は、その隣接セルにこの事実を通知してもよい。このようにして、隣接セルは、システム内のエネルギー消費を減らすためにアイドル状態のセルへのハンドオーバ要求を拒否することを決めることができる。そのような実施形態では、アイドル状態のセルへのハンドオーバ要求は、セルが輻輳しているかまたは接続を失う明白なリスクがある場合に限って受け入れられるであろう。
【００３７】
図６は、本発明による基地局のエネルギー消費を制御するための装置の一実施形態を例示するブロック図である。アンテナが送信器１２および受信器１０に接続されており、それらはベースバンド処理部１４に接続されている。セルによってサービスされているアクティブ状態の端末のリストを受信するため、端末アクティビティモニタ１６が、ベースバンド処理部１４に接続されている。端末アクティビティモニタ１６は、リストの長さを判断し、アクティブ状態の端末の数が閾値ＴＨより少ないかどうかテストする。端末アクティビティモニタ２０が、セルによってサービスされているアクティブ状態の端末の数は閾値ＴＨを下回ることを検出した場合には、ハンドオーバコマンドがベースバンド処理部１４に転送される。これは、アクティブ状態の端末のリストに載っている端末を、他のセルにハンドオーバするであろう。リストが空である場合、端末アクティビティモニタ１６は、これをバイナリ端末アクティビティ指標の中で送信制御器１８に示し、送信制御器１８は電源２０を送信器１２から切断するスイッチＳＷを制御する。
【００３８】
また、図６の装置は、ランダムアクセスモニタ２２を含み、ランダムアクセスモニタ２２は、ＤＴＸモードの間にランダムアクセスを試行する端末からプリアンブルを受信する。ランダムアクセス試行指標は、送信制御器１８に転送され、プリアンブルが検出された場合、送信制御器１８は電源２０を送信器１２に再度接続する。
【００３９】
さらに、図６の装置は、ハンドオーバコマンドモニタを含み、ハンドオーバコマンドモニタは、他の基地局からハンドオーバコマンドを、例えばＸ２インタフェースで、ＤＴＸモードの間に受信する。ハンドオーバコマンド指標が送信制御器１８に転送され、送信制御器１８は、ハンドオーバ要求が検出された場合、電源２０を送信器１２に再度接続する。
【００４０】
また、図６に例示した実施形態は、任意で、ベースバンド処理をＤＴＸとＣＴＸモードとの間で切り替えるために、ベースバンド処理部１４に戻ってＤＴＸ／ＣＴＸ指標を含んでもよい。このようにして、ＤＴＸモードの間は、不要なベースバンド信号処理を避けることができる。
【００４１】
また、図４のステップＳ３に関して論じたように、図６の端末アクティビティモニタ１６は、セルによってサービスされているアクティブ状態の端末の数が閾値を下回る場合、ダウンリンク送信を制限するように構成されてもよい。
【００４２】
図６の各種のブロックの機能性は、典型的には、１つまたは複数のマイクロプロセッサまたはマイクロ／信号プロセッサの組み合わせおよび対応するソフトウェアによって実装される。ブロック１６、１８、２２、２４は、すでにこのタイプのハードウェアを有するベースバンド処理部１４に統合されてもよい。
【００４３】
上述のように、ＤＴＸモードにおいて、端末がセルを見つけるのを支援するためにアイドル状態の基地局が送信しうる３つのタイプの情報があり、すなわち、基準（パイロット）信号、同期信号、および、ブロードキャストされるシステム情報である。これらのうち少なくとも１つが、図３の時間枠Ｔａの間に送信される必要がある。この情報の正しい受信を容易にするために、ネットワークおよび端末によって複数の手順が行われうる。
【００４４】
非アクティブ状態の端末は、周期的にページングチャネル（端末ＤＲＸモード）を聴取する。典型的には、端末は、ページングチャネルを聴取する直前かまたは直後に移動性測定を行う。図７で例示するように、基地局が間欠モードで送信する場合、この機能を用いて、アクティブ状態であってサービスしていない基地局（端末は活動していないので、いずれの基地局によってもサービスされておらず、ページングチャネルを聴取するだけである）に、端末のＤＲＸモードを時間帯Ｔａと同期させることができる。
【００４５】
アクティブ状態の端末は、いつでも移動性測定を行うことができるようになっており、ＤＴＸモードの基地局の時間枠Ｔａの中にある時刻に測定を行うように、基地局によって命令されてもよい。この機能性は、既存の端末ではファームウェアアップデートによって得ることができる。
【００４６】
図８および図９は、本発明の本態様の一実施形態を例示する。図８では、ステップＳ２０が、セルからの情報の間欠送信についてのタイムスケジュールを示す信号を受信する。ステップＳ２１は、情報の間欠送信を移動性測定と同期させる。端末がアクティブ状態にある場合、端末は、移動性測定を間欠送信と同期させるように命令される。他方、端末が非アクティブ状態の場合、端末は、代わりに、間欠送信の送信時間枠の間は、ページングチャネルを聴取するように命令される。このようにして、移動性測定を、間接的に間欠送信に同期させる。
【００４７】
図９に例示する無線端末は、受信器３０に接続されたアンテナを含み、受信器３０は、ベースバンド信号をベースバンド処理部３２に転送する。ベースバンド処理部３２は、他の信号の中でも特に、アイドル状態の基地局のＤＴＸスケジュールを抽出する。このスケジュールは、端末がアクティブ状態にある場合には直接的に実際のＤＴＸスケジュールとして、あるいは、端末が非アクティブ状態の場合には間接的にページングスケジュールから、アクティブ状態の基地局から受信されたものである。ＤＴＸスケジュールは、同期装置３４に転送され、同期装置３４は、受信器３０およびベースバンド処理部３２の移動性測定スケジュールを制御する。必要に応じて、同期装置３４は、ベースバンド処理部３２に統合されてもよい。
【００４８】
ネットワークは、複数の基地局のＤＴＸモードを同期させることができる。ローカルな（基地局から基地局への）同期も、中央での（Ｏｐｅｒａｔｉｏｎｓ  Ｓｕｐｐｏｒｔ  Ｓｙｓｔｅｍ、すなわちＯＳＳを介した）同期も、いずれも可能である。
【００４９】
端末は、２ステップのセル探索手順を備えてもよい。第１のステップでは、端末は、複数の周波数にわたってスキャンすることによって、通常のセル探索を行う。これが失敗すると、端末は、各周波数についての探索時間が延長される延長セル探索を（すなわち、ＤＴＸモードでの基地局のアイドル状態の時間枠Ｔｐ−Ｔａより長く）行う。この機能性は、既存の端末ではファームウェアアップデートによって得ることができる。
【００５０】
図１０および図１１は、本発明の本態様の一実施形態を図解する。図１０では、ステップＳ３０が、複数の周波数にわたって第１の通常のセル探索を行う。ステップＳ３１は、セル探索が失敗したかどうか、すなわち、探索がいずれかのセルを見つけられなかったかどうかをテストする。そうであれば、各周波数についてセル探索時間が延長された第２のセル探索が、ステップＳ３２で行われる。そうでない場合、セル探索はステップＳ３３で完了する。
【００５１】
図１１は、この２ステップのセル探索を組み込んだ無線端末のブロック図である。無線端末は、受信器３０に接続されたアンテナを含み、受信器３０はベースバンド信号をベースバンド処理部３２に転送し、ベースバンド処理部３２は、セル探索部３６に接続されている。セル探索部３６は、２つのセル探索モード、すなわち、通常セル探索モードと延長セル探索モードとを実装しており、図１０に関して述べたセル探索手順を行うように構成される。セル探索部３６は、発見セルのリストをベースバンド処理部３２に出力する。必要に応じて、セル探索部３６は、ベースバンド処理部３２に組み込まれてもよい。
【００５２】
基準信号と同期信号とは、本来、別の目的で設計されているが、アイドルモードの動作の間は、大体同じ機能を有することがありうるだろう。アイドル状態のｅノードＢによってサービスされていないＵＥは、これらの信号を用いてセルを見つけ、信号強度を測定する。同期信号は、容易に検出されるように設計されているため、ｅノードＢがアイドルモードの間にもこの目的でそれらを用いることは有利である。しかし、アイドル状態のｅノードＢから基準信号だけを送信することも可能であろうし、もう少し努力すれば、ＵＥは最後にはそのような送信を見つけ、それについて測定するであろう。また、ｅノードＢのアイドルモードの動作中に同期信号だけを送信することも可能であろう。その場合、ＵＥは、同期チャネルの測定値に基づいて信号強度を推定する必要があるだろう。しかし、同期チャネルは、本来、この目的で設計されているのではないので、そのような測定値の精度は、若干下がるであろう。従って、好適な動作とは、ｅノードＢのアイドル状態の動作中にも、基準信号だけでなく同期信号も送信することであろう。
【００５３】
ブロードキャストチャネルに関しては、たとえ同期信号および基準信号が送信されなかったとしても、ＵＥが、そのような送信をアイドル状態のｅノードＢから検出する可能性は潜在的にあるだろうが、結果的に性能は低くなり、セル探索時間は長引くであろう。理論的には、ＵＥがブロードキャストチャネルに関する測定値だけに基づいてアイドル状態のｅノードＢの信号強度を判断することは可能であろう。ブロードキャストチャネルは、ＵＥがランダムアクセスを実行するために必要な情報を搬送するが、代わりに、アイドル状態のセルが入っているマクロセルからこの情報をＵＥに受信させることも可能である。好適実施形態では、３つのタイプの（すなわち、同期、基準、ブロードキャスト）信号がすべて、アイドルモードのｅノードＢから送信されるが、理論的には、信号のうちの１つだけが送信されれば十分である。
【００５４】
当業者であれば理解するであろうが、本発明には、その範囲から逸脱することなく各種の修正や変更が行われる可能性があり、本発明は、添付の請求項によって定義される。
【００５５】
略語集
ＢＳ  基地局（Ｂａｓｅ  Ｓｔａｔｉｏｎ）
ＤＲＸ  不連続受信（Ｄｉｓｃｏｎｔｉｎｕｏｕｓ  Ｒｅｃｅｐｔｉｏｎ）
ＤＴＸ  不連続送信（Ｄｉｓｃｏｎｔｉｎｕｏｕｓ  Ｔｒａｎｓｍｉｓｓｉｏｎ）
ｅＮｏｄｅＢ  ｅノードＢ（ｅｖｏｌｖｅｄ  ＮｏｄｅＢ）
ＨＳＰＡ  高速パケットアクセス（Ｈｉｇｈ−Ｓｐｅｅｄ  Ｐａｃｋｅｔ  Ａｃｃｅｓｓ）
ＬＴＥ  ロング・ターム・エボリューション（Ｌｏｎｇ−Ｔｅｒｍ  Ｅｖｏｌｕｔｉｏｎ）
ＮｏｄｅＢ  ノードＢ（複数のセルの送信／受信を扱う論理ノード）
ＯＳＳ  オペレーションズ・サポート・システム（Ｏｐｅｒａｔｉｏｎｓ  Ｓｕｐｐｏｒｔ  Ｓｙｓｔｅｍ）
ＲＳＲＰ  基準信号受信電力（Ｒｅｆｅｒｅｎｃｅ  Ｓｉｇｎａｌ  Ｒｅｃｅｉｖｅｄ  Ｐｏｗｅｒ）
ＵＥ  ユーザ装置（Ｕｓｅｒ  Ｅｑｕｉｐｍｅｎｔ）
【図１】
0005603885.tif 000002
【図２】
0005603885.tif 000003
【図３】
0005603885.tif 000004
【図４】
0005603885.tif 000005
【図５】
0005603885.tif 000006
【図６】
0005603885.tif 000007
【図７】
0005603885.tif 000008
【図８】
0005603885.tif 000009
【図９】
0005603885.tif 000010
【図１０】
0005603885.tif 000011
【図１１】
0005603885.tif 000012